(57)【特許請求の範囲】
【請求項１】
少なくとも第１の無線アクセス技術（ＲＡＴ）および第２のＲＡＴを含むワイヤレス通信のためのユーザ機器のための方法であって、
自律拒否レートに少なくとも部分的に基づいて前記第１の無線アクセス技術（ＲＡＴ）の通信を調整することと、
前記調整された前記第１のＲＡＴの通信に少なくとも部分的に基づいて第２のＲＡＴの通信を調整することと、
を備え、前記方法は、
前記第１のＲＡＴの基地局からの前記自律拒否レートを受信することであって、前記自律拒否レートは、前記基地局によって構成され、前記第１のＲＡＴを拒否して前記基地局の事前知識なしにアップリンク通信を実行するためのユーザ機器による自律拒否のレートに対する制限を示す、受信することと、
前記基地局に測定値を報告することであって、前記ユーザ機器が測定報告を送信すると予期される、測定報告のための予期された測定ウィンドウは、前記受信された自律拒否レートに少なくとも部分的に基づいて前記基地局によって調整される、報告することと、
をさらに備え、前記自律拒否レートが少なくとも前記測定値を報告することにおける遅延の影響を低減するように構成されることを特徴とする、方法。
【請求項２】
前記調整することは、第２のＲＡＴの通信の優先順位を変更することを含む、請求項１に記載の方法。
【請求項３】
前記基地局から前記第１のＲＡＴの通信のための時分割多重（ＴＤＭ）通信パターンを要求することをさらに備え、前記調整することは、前記ＴＤＭ通信パターンに少なくとも部分的に基づいて前記第２のＲＡＴの通信を調整することを備える、請求項１に記載の方法。
【請求項４】
以前に割り当てられたＴＤＭ通信パターンが前記第１のＲＡＴの通信と前記第２のＲＡＴの通信との間に干渉をもたらし得る場合に、第２のＴＤＭ通信パターンを要求することをさらに備える、請求項３に記載の方法。
【請求項５】
前記自律拒否レートが前記第１のＲＡＴの通信と前記第２のＲＡＴの通信との間に干渉をもたらし得る場合に、前記第１のＲＡＴの通信を拒否することをさらに備える、請求項１に記載の方法。
【請求項６】
前記基地局から前記第１のＲＡＴの通信のための周波数分割多重（ＦＤＭ）通信構成を要求することをさらに備え、前記調整することは、前記ＦＤＭ通信構成に少なくとも部分的に基づいて前記第２のＲＡＴの通信を調整することを備える、請求項１に記載の方法。
【請求項７】
前記第１のＲＡＴの拒否されたアップリンクサブフレームのタイミングに少なくとも部分的に基づいて前記第１のＲＡＴの前記基地局へのシグナリングメッセージの送信を調整することをさらに備える、請求項１に記載の方法。
【請求項８】
前記シグナリングメッセージは測定報告である、請求項７に記載の方法。
【請求項９】
前記第１のＲＡＴの拒否されたアップリンクサブフレームに続く、第１の利用可能な拒否されないサブフレーム中に、前記第１のＲＡＴの前記基地局への前記シグナリングメッセージの送信をスケジュールすることをさらに備える、請求項７に記載の方法。
【請求項１０】
少なくとも第１の無線アクセス技術（ＲＡＴ）および第２のＲＡＴを含むワイヤレス通信のためのユーザ機器で使用するための装置であって、
自律拒否レートに少なくとも部分的に基づいて前記第１の無線アクセス技術（ＲＡＴ）の通信を調整するための手段と、
前記調整された前記第１のＲＡＴの通信に少なくとも部分的に基づいて前記第２のＲＡＴの通信を調整するための手段と、
を備え、前記装置は、
基地局からの前記第１のＲＡＴの前記自律拒否レートを受信する手段であって、前記自律拒否レートは、前記基地局によって構成され、前記第１のＲＡＴを拒否して前記基地局の事前知識なしにアップリンク通信を実行するための前記ユーザ機器による自律拒否のレートに対する制限を示す、受信する手段と、
前記基地局に測定値を報告するための手段であって、前記ユーザ機器が測定報告を送信すると予期される、測定報告のための予期された測定ウィンドウは、前記受信された自律拒否レートに少なくとも部分的に基づいて前記基地局によって調整される、報告するための手段と、をさらに備え、
前記自律拒否レートが少なくとも前記測定値を報告することにおける遅延の影響を低減するように構成されることを特徴とする、装置。
【請求項１１】
前記調整するための手段は、第２のＲＡＴの通信の優先順位を変更するようにさらに構成される、請求項１０に記載の装置。
【請求項１２】
前記基地局から前記第１のＲＡＴの通信のためのＴＤＭ通信パターンを要求するための手段をさらに備え、前記第２のＲＡＴの通信を前記調整するための手段は、前記ＴＤＭ通信パターンに少なくとも部分的に基づいて前記第２のＲＡＴの通信を調整するように構成される、請求項１０に記載の装置。
【請求項１３】
ワイヤレス通信のための基地局のための方法であって、
少なくとも第１の無線アクセス技術（ＲＡＴ）および第２のＲＡＴを含むユーザ機器のための第１の無線アクセス技術の自律拒否レートを構成することであって、前記自律拒否レートは、前記第１のＲＡＴを拒否して前記基地局の事前知識なしにアップリンク通信を実行するための前記ユーザ機器による自律拒否のレートに対する制限を示す、構成することと、
前記ユーザ機器に前記自律拒否レートを送信することと、を備え、
前記構成された自律拒否レートに少なくとも部分的に基づいて前記ユーザ機器のための予期された測定報告ウィンドウを調整することと、前記自律拒否レートが少なくとも測定値を報告することにおける遅延の影響を低減するように構成されることとを特徴とする、方法。
【請求項１４】
ワイヤレス通信のための基地局で使用するための装置であって、
少なくとも第１の無線アクセス技術（ＲＡＴ）および第２のＲＡＴを含むユーザ機器のための第１の無線アクセス技術の自律拒否レートを構成するための手段であって、前記自律拒否レートは、前記第１のＲＡＴを拒否して前記基地局の事前知識なしにアップリンク通信を実行するための前記ユーザ機器による自律拒否のレートに対する制限を示す、構成するための手段と、
前記ユーザ機器に前記自律拒否レートを送信するための手段と、
を備え、前記構成された自律拒否レートに少なくとも部分的に基づいて前記ユーザ機器のための予期された測定報告ウィンドウを調整するための手段と、前記自律拒否レートが少なくとも測定値を報告することにおける遅延の影響を低減するように構成されることとを特徴とする、装置。
【請求項１５】
ワイヤレスネットワークにおけるワイヤレス通信のためのコンピュータプログラムであって、
請求項１−９および１３のうちのいずれか１つの前記方法をプロセッサによって実行するためのプログラムコードを備える、コンピュータプログラム。
【発明の詳細な説明】
【関連出願の相互参照】
【０００１】
[0001]  本願は、その開示全体が参照により本明細書に明確に組み込まれる、ＤＡＹＡＬ他の名において、２０１２年１１月２日に出願された、「マルチ無線共存のための自律拒否構成（AUTONOMOUS DENIAL CONFIGURATIONS FOR MULTI-RADIO COEXISTENCE）」と題する米国仮特許出願第６１／７２１，８５１号に対する米国特許法第１１９条（ｅ）項に基づく利益を主張する。
【技術分野】
【０００２】
[0002]  本開示の態様は、一般的には、マルチ無線技法に関し、より詳細には、マルチ無線デバイスのための自律拒否構成（autonomous denial configurations）および共存技法に関する。
【背景技術】
【０００３】
[0003]  ワイヤレス通信システムは、音声、データ、等のような、様々な種類の通信コンテンツを提供するために広く展開されている。これらのシステムは、利用可能なシステムリソース（例えば、帯域幅および送信電力）を共有することで複数のユーザとの通信をサポートできる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および直交周波数分割多元接続（ＯＦＤＭＡ）システムを含む。
【０００４】
[0004]  一般的に、ワイヤレス多元接続通信システムは、複数のワイヤレス端末のための通信を同時にサポートできる。各端末は、順方向および逆方向リンク上での送信を介して１つ以上の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単入力単出力、多入力単出力、または多入力多出力（ＭＩＭＯ）システムを介して確立され得る。
【０００５】
[0005]  いくつかの従来の高度なデバイスは、異なる無線アクセス技術（ＲＡＴ）を使用して送信／受信するための複数の無線機（radios）を含む。ＲＡＴの例は、例えば、ユニバーサルモバイル通信システム（ＵＭＴＳ）、モバイル通信のためのグローバルシステム（ＧＳＭ（登録商標））、ｃｄｍａ２０００、ＷｉＭＡＸ（登録商標）、ＷＬＡＮ（例えば、ＷｉＦｉ（登録商標））、Ｂｌｕｅｔｏｏｔｈ（登録商標）、ＬＴＥ、等を含む。
【０００６】
[0006]  実例的なモバイルデバイスは、第４世代（４Ｇ）携帯電話のような、ＬＴＥユーザ機器（ＵＥ）を含む。このような４Ｇ電話機は、ユーザに様々な機能を提供するために、様々な無線機を含み得る。この例の目的のために、４Ｇ電話機は、音声およびデータ用のＬＴＥ無線機、ＩＥＥＥ ８０２．１１（ＷｉＦｉ）無線機、全地球測位システム（ＧＰＳ）無線機、およびＢｌｕｅｔｏｏｔｈ無線機を含み、ここで、上記のうちの２つ、または４つすべてが同時に動作し得る。異なる無線機は、電話機に対して有用な機能を提供する一方で、これらを単一のデバイスに含めると、共存問題を引き起こす。具体的には、１つの無線機の動作は、場合によっては、放射性の（radiative）、伝導性の（conductive）、リソース衝突の、および／または他の干渉機構を通じて、別の無線機の動作と干渉し得る。共存問題は、このような干渉を含む。
【０００７】
[0007]  これは特に、産業科学医療（ＩＳＭ）帯域に隣接し、それとの干渉を引き起こし得るＬＴＥアップリンクチャネルに当てはまる。ＢｌｕｅｔｏｏｔｈおよびいくつかのワイヤレスＬＡＮ（ＷＬＡＮ）チャネルは、ＩＳＭ帯域の範囲内にある（fall within）ことに留意されたい。いくつかの事例では、Ｂｌｕｅｔｏｏｔｈ誤り率が、いくつかのＢｌｕｅｔｏｏｔｈチャネル状態において、ＬＴＥが帯域７または帯域４０でさえものいくつかのチャネルでアクティブである場合に許容できなくなり得る。たとえＬＴＥに対する顕著な劣化がないにしても、Ｂｌｕｅｔｏｏｔｈとの同時動作は、Ｂｌｕｅｔｏｏｔｈヘッドセットにおいて終端する音声サービスの途絶（disruption）をもたらし得る。このような途絶は、消費者には許容できないものであり得る。ＬＴＥ送信がＧＰＳと干渉する場合、同様の問題が存在する。現在、ＬＴＥ単独ではいかなる劣化も経験しないので、この問題を解決し得る機構は存在しない。
【０００８】
[0008]  特にＬＴＥに関して、ＵＥは、ダウンリンク上でＵＥによって観察される干渉についてｅＮＢに通知するために、発展型ノードＢ（ｅＮＢ；例えば、ワイヤレス通信ネットワーク用の基地局）と通信することに留意されたい。さらに、ｅＮＢは、ダウンリンク誤り率を使用して、ＵＥにおける干渉を推定することが可能であり得る。いくつかの事例では、ｅＮＢおよびＵＥが、ＵＥにおける干渉、さらにＵＥ自体の内部の無線機による干渉をも低減させる解決策を見つけるために協力し得る（cooperate）。しかしながら、従来のＬＴＥでは、ダウンリンクに関する干渉推定値が、広範囲にわたって干渉に対処することに適していない場合がある。
【０００９】
[0009]  １つの事例では、ＬＴＥアップリンク信号が、Ｂｌｕｅｔｏｏｔｈ信号またはＷＬＡＮ信号と干渉する。しかしながら、このような干渉は、ｅＮＢにおけるダウンリンク測定報告に反映されない。その結果、ＵＥ側での一方的な動作（例えば、アップリンク信号を異なるチャネルに移動させること）は、アップリンク共存問題について認識せずにこの一方的な動作を取り消そうとするｅＮＢによって阻止され得る。例えば、ＵＥが異なる周波数チャネル上で接続を再確立したとしても、ネットワークが、依然として、デバイス内干渉によって破損された（corrupted）元の周波数チャネルに戻すようにＵＥをハンドオーバし得る。破損チャネル上の所望の信号強度は、時に、ｅＮＢに対する基準信号受信電力（ＲＳＲＰ）に基づいて新しいチャネルの測定報告に反映されたものよりも高くなり得るので、これは、起こり得るシナリオである。従って、ｅＮＢがハンドオーバ決定を行うためにＲＳＲＰ報告を使用する場合に、破損チャネルと所望チャネルとの間で行ったり来たりするように転送されるピンポン効果（a ping-pong effect）が生じ得る。
【００１０】
[0010]  例えば、ｅＮＢ側の協調なしにアップリンク通信を単純に停止するような、ＵＥ側での他の一方的な動作が、ｅＮＢでの電力ループの誤動作の原因となり得る。従来のＬＴＥに存在する更なる問題は、共存問題を有する構成の代替として所望の構成を提案するＵＥ側の能力の全般的な欠如を含む。少なくともこれら理由から、ＵＥにおけるアップリンク共存問題は長い間未解決のままであり得、ＵＥの他の無線機に関するパフォーマンスおよび効率を劣化させている。
【発明の概要】
【００１１】
[0011]  提案されたのは、ワイヤレス通信のための方法である。方法は、第１の無線アクセス技術（ＲＡＴ）の基地局から自律拒否レート（an autonomous denial rate）を受信することを含む。方法はまた、自律拒否レートに少なくとも部分的に基づいて第１のＲＡＴの通信を調整することを含む。方法は、さらに、調整された第１のＲＡＴの通信に少なくとも部分的に基づいて第２のＲＡＴの通信を調整することを含む。
【００１２】
[0012]  提案されたのは、ワイヤレス通信のための装置である。装置は、第１の無線アクセス技術（ＲＡＴ）の基地局から自律拒否レートを受信するための手段を含む。装置はまた、自律拒否レートに少なくとも部分的に基づいて第１のＲＡＴの通信を調整するための手段を含む。装置は、さらに、調整された第１のＲＡＴの通信に少なくとも部分的に基づいて第２のＲＡＴの通信を調整するための手段を含む。
【００１３】
[0013]  提案されたのは、ワイヤレスネットワークにおけるワイヤレス通信のためのコンピュータプログラム製品である。コンピュータプログラム製品は、非一時的なプログラムコードを記憶したコンピュータ可読媒体を含む。プログラムコードは、第１の無線アクセス技術（ＲＡＴ）の基地局から自律拒否レートを受信するためのプログラムコードを含む。プログラムコードはまた、自律拒否レートに少なくとも部分的に基づいて第１のＲＡＴの通信を調整するためのプログラムコードを含む。プログラムコードはまた、調整された第１のＲＡＴの通信に少なくとも部分的に基づいて第２のＲＡＴの通信を調整するためのプログラムコードを含む。
【００１４】
[0014]  提案されたのは、ワイヤレス通信のための装置である。装置は、メモリおよびメモリに結合された（単数または複数の）プロセッサを含む。（単数または複数の）プロセッサは、第１の無線アクセス技術（ＲＡＴ）の基地局から自律拒否レートを受信するように構成される。（単数または複数の）プロセッサはまた、自律拒否レートに少なくとも部分的に基づいて第１のＲＡＴの通信を調整するように構成される。（単数または複数の）プロセッサは、さらに、調整された第１のＲＡＴの通信に少なくとも部分的に基づいて第２のＲＡＴの通信を調整するように構成される。
【００１５】
[0015]  提案されたのは、ワイヤレス通信のための方法である。方法は、ユーザ機器のための自律拒否レートを構成することを含む。方法はまた、構成された自律拒否レートに少なくとも部分的に基づいてユーザ機器のための予期された測定報告ウィンドウ（an expected measurement reporting window）を調整することを含む。
【００１６】
[0016]  提案されたのは、ワイヤレス通信のための装置である。装置は、ユーザ機器のための自律拒否レートを構成するための手段を含む。装置はまた、構成された自律拒否レートに少なくとも部分的に基づいてユーザ機器のための予期された測定報告ウィンドウを調整するための手段を含む。
【００１７】
[0017]  提案されたのは、ワイヤレスネットワークにおけるワイヤレス通信のためのコンピュータプログラム製品である。コンピュータプログラム製品は、非一時的なプログラムコードを記憶したコンピュータ可読媒体を含む。プログラムコードは、ユーザ機器のための自律拒否レートを構成するためのプログラムコードを含む。プログラムコードはまた、構成された自律拒否レートに少なくとも部分的に基づいてユーザ機器のための予期された測定報告ウィンドウを調整するためのプログラムコードを含む。
【００１８】
[0018]  提案されたのは、ワイヤレス通信のための装置である。装置は、メモリおよびメモリに結合された（単数または複数の）プロセッサを含む。（単数または複数の）プロセッサは、ユーザ機器のための自律拒否レートを構成するように構成される。（単数または複数の）プロセッサはまた、構成された自律拒否レートに少なくとも部分的に基づいてユーザ機器のための予期された測定報告ウィンドウを調整するように構成される。
【００１９】
[0019]  これは、以下の詳細な説明がより良く理解され得るように、本開示の特徴および技術的利点を、どちらかといえば幅広く概説している。本開示の更なる特徴および利点が以下に説明される。この開示が本開示の同じ目的を果たすための他の構造を修正または設計するための基礎として容易に利用され得ることは、当業者によって理解されるべきである。また、このような等価の構成が添付された特許請求の範囲に記載の本開示の教示から逸脱しないことも、当業者によって理解されるべきである。さらなる目的および利点とともに、本開示の構成および動作の方法の両方について、本開示の特徴であると考えられる新規な特徴は、添付図面と関連して考慮される場合、以下の説明からより良く理解されるであろう。しかしながら、図面の各々は、例示および説明のためだけに提供されており、本開示の限定の定義として意図されないことが明確に理解されるべきである。
【図面の簡単な説明】
【００２０】
[0020]  本開示の特徴、性質、および利点は、同様の参照符号が全体にわたって同一物とみなされる図面と共に考慮される場合、以下に記載の詳細な説明からより明らかになるであろう。
【図１】一態様による、多元接続ワイヤレス通信システムを示す。
【図２】一態様による、通信システムのブロック図である。
【図３】ダウンリンクロングタームエボリューション（ＬＴＥ）通信における例示的なフレーム構造を示す。
【図４】アップリンクロングタームエボリューション（ＬＴＥ）通信における例示的なフレーム構造を概念的に示すブロック図である。
【図５】実例的なワイヤレス通信環境を示す。
【図６】マルチ無線ワイヤレスデバイスのための実例的な設計のブロック図である。
【図７】所与の決定期間における７つの実例的な無線機間でのそれぞれの潜在的な衝突（potential collisions）を示すグラフである。
【図８】経時的な（over time）、実例的な共存マネージャ（ＣｘＭ）の動作を示す図である。
【図９】隣接する周波数帯域を示すブロック図である。
【図１０】本開示の一態様による、マルチ無線共存管理のためにワイヤレス通信環境内のサポートを提供するためのシステムのブロック図である。
【図１１】本開示の一態様による、自律拒否構成を示すブロック図である。
【図１２】本開示の一態様による、自律拒否構成を示すブロック図である。
【図１３】自律拒否構成を採用した装置のためのハードウェアの実現の例を示す図である。
【発明を実施するための形態】
【００２１】
詳細な説明
[0034]  本開示の様々な態様は、マルチ無線デバイスにおける共存問題を緩和するための技法を提供し、ここで、著しいデバイス内共存問題は、例えば、ＬＴＥおよび（例えば、ＢＴ／ＷＬＡＮ用の）産業科学医療（ＩＳＭ）帯域との間で存在し得る。上記で説明されたように、ｅＮＢは、他の無線によって経験されるＵＥ側の干渉について認識していないので、いくつかの共存問題が存続する（persist）。一態様によると、現在のチャネル上に共存問題がある場合、ＵＥは、無線リンク障害（ＲＬＦ）を宣言（declare）し、新しいチャネルまたは無線アクセス技術（ＲＡＴ）に自律的にアクセスする。ＵＥは、次のような理由により、いくつかの例においてＲＬＦを宣言し得る：１）ＵＥ受信が共存による干渉によって影響を受ける、および、２）ＵＥ送信機が別の無線機に対して破壊的な干渉を引き起こしている。その後、ＵＥは、新しいチャネルまたはＲＡＴにおける接続を再確立しながら、共存問題を示すメッセージをｅＮＢに送る。ｅＮＢは、そのメッセージを受信したことによって、共存問題について認識するようになる。
【００２２】
[0035]  本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、等のような、様々なワイヤレス通信ネットワークに使用され得る。「ネットワーク」および「システム」という用語は、しばしば同義で使用される。ＣＤＭＡネットワークは、ユニバーサル地上無線アクセス（ＵＴＲＡ）、ｃｄｍａ２０００、等のような無線技術を実現し得る。ＵＴＲＡは、広帯域ＣＤＭＡ（Ｗ−ＣＤＭＡ（登録商標））およびローチップレート（ＬＣＲ）を含む。ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ）のような無線技術を実現し得る。ＯＦＤＭＡネットワークは、発展型ＵＴＲＡ（Ｅ−ＵＴＲＡ）、ＩＥＥＥ ８０２．１１、ＩＥＥＥ ８０２．１６、ＩＥＥＥ ８０２．２０、フラッシュＯＦＤＭ（登録商標）、等のような無線技術を実現し得る。ＵＴＲＡ、Ｅ−ＵＴＲＡ、およびＧＳＭは、ユニバーサルモバイル電気通信システム（ＵＭＴＳ）の一部である。ロングタームエボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と呼ばれる団体からの文書に説明されている。ＣＤＭＡ２０００は、「第３世代パートナーシッププロジェクト２」（３ＧＰＰ２）と呼ばれる団体からの文書に説明されている。これらの様々な無線技術および規格は、当該技術分野において周知である。明瞭さのために、技術のある特定の態様は、ＬＴＥに関して以下に説明され、ＬＴＥ用語が以下の説明の複数の部分で使用される。
【００２３】
[0036]  シングルキャリア変調および周波数ドメイン等化を利用するシングルキャリア周波数分割多元接続（ＳＣ−ＦＤＭＡ）は、本明細書で説明される様々な態様とともに利用され得る技術である。ＳＣ−ＦＤＭＡは、ＯＦＤＭＡシステムのものと同様のパフォーマンスおよび本質的には同じ全体的な複雑性を有する。ＳＣ−ＦＤＭＡ信号は、その固有のシングルキャリア構造により、より低いピーク対平均電力比（ＰＡＰＲ）を有する。ＳＣ−ＦＤＭＡは、特に、送信電力効率という点で、より低いＰＡＰＲがモバイル端末に大いに利益をもたらすアップリンク通信において、大きな注目を集めている。これは、現在、３ＧＰＰロングタームエボリューション（ＬＴＥ）、または発展型ＵＴＲＡにおけるアップリンク多元接続方式についての作業仮説（working assumption）である。
【００２４】
[0037]  図１を参照すると、一態様による多元接続ワイヤレス通信システムが示される。発展型ノードＢ １００（ｅＮＢ）は、リソースおよびパラメータを割り当てること、ユーザ機器からの要求を許可／拒否すること、および／または同様のことによってＬＴＥ通信を管理するための処理リソースとメモリリソースとを有するコンピュータ１１５を含む。ｅＮＢ １００はまた、複数のアンテナグループを有し、１つのグループはアンテナ１０４とアンテナ１０６を含み、別のグループはアンテナ１０８とアンテナ１１０を含み、更なるグループはアンテナ１１２とアンテナ１１４を含む。図１では、各アンテナグループにつき２つのアンテナのみが示されているが、より多くのアンテナまたはより少ないアンテナが各アンテナグループに利用され得る。ユーザ機器（ＵＥ）１１６（アクセス端末（ＡＴ）とも呼ばれる）は、アンテナ１１２および１１４がアップリンク（ＵＬ）１８８上でＵＥ １１６に情報を送信する間、アンテナ１１２および１１４と通信状態にある。アンテナ１０６および１０８が、ダウンリンク（ＤＬ）１２６上でＵＥ １２２に情報を送信し、アップリンク１２４上でＵＥ １２２から情報を受信する間、ＵＥ １２２は、アンテナ１０６および１０８と通信状態にある。周波数分割デュプレックス（ＦＤＤ）システムでは、通信リンク１１８、１２０、１２４および１２６が、通信のために異なる周波数を使用し得る。例えば、ダウンリンク１２０は、アップリンク１１８によって使用される周波数とは異なる周波数を使用し得る。
【００２５】
[0038]  アンテナの各グループおよび／またはそれらが通信するように設計されたエリアは、しばしば、ｅＮＢのセクタと呼ばれる。この態様では、それぞれのアンテナグループが、ｅＮＢ １００によってカバーされるエリアのセクタ内のＵＥに通信するように設計される。
【００２６】
[0039]  ダウンリンク１２０および１２６上の通信では、ｅＮＢ １００の送信アンテナが、異なるＵＥ １１６および１２２に対するアップリンクの信号対ノイズ比を改善するためにビームフォーミングを利用する。また、そのカバレッジ全体にわたってランダムに分散されたＵＥに送信するためにビームフォーミングを使用するｅＮＢは、そのＵＥすべてに単一のアンテナを通じて送信するＵＥよりも、隣接セルにおけるＵＥに対して少ない干渉を引き起こす。
【００２７】
[0040]  ｅＮＢは、端末と通信するために使用される固定局であり得、また、アクセスポイント、基地局、または何らかの他の用語で呼ばれ得る。ＵＥもまた、アクセス端末、ワイヤレス通信デバイス、端末、または何らかの他の用語で呼ばれ得る。
【００２８】
[0041]  図２は、ＭＩＭＯシステム２００における送信機システム２１０（ｅＮＢとしても知られる）および受信機システム２５０（ＵＥとしても知られる）の一態様のブロック図である。いくつかの事例では、ＵＥとｅＮＢの両方が、送信機システムと受信機システムとを含むトランシーバをそれぞれ有する。送信機システム２１０において、多数のデータストリームのためのトラフィックデータが、データソース２１２から送信（ＴＸ）データプロセッサ２１４に提供される。
【００２９】
[0042]  ＭＩＭＯシステムは、データ伝送のために、複数（ＮＴ）個の送信アンテナおよび複数（ＮＲ）個の受信アンテナを用いる。ＮＴ個の送信およびＮＲ個の受信アンテナによって形成されるＭＩＭＯチャネルは、空間チャネルとも呼ばれるＮＳ個の独立チャネルに分解され得、ここで、ＮＳ≦ｍｉｎ｛ＮＴ，ＮＲ｝である。ＮＳ個の独立したチャネルの各々は、次元（dimension）に対応する。複数の送信アンテナおよび受信アンテナによって生成される更なる次元が利用される場合、ＭＩＭＯシステムは、改善されたパフォーマンス（例えば、より高いスループットおよび／またはより大きな信頼性）を提供し得る。
【００３０】
[0043]  ＭＩＭＯシステムは、時分割デュプレックス（ＴＤＤ）システムおよび周波数分割デュプレックス（ＦＤＤ）システムをサポートする。ＴＤＤシステムでは、アップリンクおよびダウンリンクの送信が同じ周波数領域上で行われ、相互依存の原理（reciprocity principle）がアップリンクチャネルからのダウンリンクチャネルの推定を可能にする。これは、複数のアンテナがｅＮＢにおいて利用可能である場合、ｅＮＢがダウンリンク上で送信ビームフォーミング利得を抽出することを可能にする。
【００３１】
[0044]  一態様では、各データストリームが該当の送信アンテナを介して送信される。ＴＸデータプロセッサ２１４は、各データストリームのためのトラフィックデータを、そのデータストリーム用に選択された特定のコーディング方式に基づいて、フォーマットし、コーディングし、インターリーブして、コード化データを提供する。
【００３２】
[0045]  データストリーム毎の符号化されたデータは、ＯＦＤＭ技法を使用してパイロットデータと多重化されることができる。パイロットデータは、既知の方法で処理される既知のデータパターンであり、チャネル応答を推定するために受信機システムで使用され得る。その後、データストリーム毎の多重化されたパイロットおよび符号化データは、そのデータストリーム用に選択された特定の変調方式（例えば、ＢＰＳＫ、ＱＳＰＫ、Ｍ−ＰＳＫ、またはＭ−ＱＡＭ）に基づいて変調（例えば、シンボルマッピング）されて、変調シンボルを提供する。データストリーム毎のデータレート、コーディング、および変調は、メモリ２３２とともに動作するプロセッサ２３０によって実行される命令によって決定され得る。
【００３３】
[0046]  その後、それぞれのデータストリームのための変調シンボルは、ＴＸ ＭＩＭＯプロセッサ２２０に提供され、それは、（例えば、ＯＦＤＭ用に）変調シンボルをさらに処理し得る。その後、ＴＸ ＭＩＭＯプロセッサ２２０は、ＮＴ個の変調シンボルストリームをＮＴ個の送信機（ＴＭＴＲ）２２２ａ〜２２２ｔに提供する。ある特定の態様で、ＴＸ ＭＩＭＯプロセッサ２２０は、データストリームのシンボルと、そのシンボルが送信されるアンテナとにビームフォーミング重みを適用する。
【００３４】
[0047]  各送信機２２２は、１つ以上のアナログ信号を提供するために該当のシンボルストリームを受信および処理し、さらにＭＩＭＯチャネルを介した送信に適した変調信号を提供するためにアナログ信号を調整（例えば、増幅、フィルタ処理、およびアップコンバート）する。その後、送信機２２２ａ〜２２２ｔからのＮＴ個の変調信号は、それぞれＮＴ個のアンテナ２２４ａ〜２２４ｔから送信される。
【００３５】
[0048]  受信機システム２５０において、送信された変調信号は、ＮＲ個のアンテナ２５２ａ〜２５２ｒによって受信され、各アンテナ２５２からの受信された信号は、該当の受信機（ＲＣＶＲ）２５４ａ〜２５４ｒに提供される。各受信機２５４は、該当の受信された信号を調整（例えば、フィルタ処理、増幅、およびダウンコンバート）し、調整された信号をデジタル化してサンプルを提供し、このサンプルをさらに処理して、対応する「受信された」シンボルストリームを提供する。
【００３６】
[0049]  ＲＸデータプロセッサ２６０は、その後、ＮＲ個の「検出された」シンボルストリームを提供するために、特定の受信機処理技法に基づいて、ＮＲ個の受信機２５４からＮＲ個の受信されたシンボルストリームを受信および処理し得る。その後、ＲＸデータプロセッサ２６０は、各検出されたシンボルストリームを復調し、デインターリーブし、復号して、データストリームのためのトラフィックデータを復元する。ＲＸデータプロセッサ２６０による処理は、送信機システム２１０においてＴＸ ＭＩＭＯプロセッサ２２０およびＴＸデータプロセッサ２１４によって行なわれる処理に対して相補的である。
【００３７】
[0050]  （メモリ２７２とともに動作する）プロセッサ２７０は、どのプリコーディング行列を使用するかを周期的に決定する（以下に説明される）。プロセッサ２７０は、行列インデックス部分とランク値部分を有するアップリンクメッセージを形成する（formulates）。
【００３８】
[0051]  アップリンクメッセージは、通信リンクおよび／または受信されたデータストリームに関する様々なタイプの情報を含み得る。その後、アップリンクメッセージは、データソース２３６から多数のデータストリームのためのトラフィックデータをも受信するＴＸデータプロセッサ２３８によって処理され、変調器２８０によって変調され、送信機２５４ａ〜２５４ｒによって調整され、送信機システム２１０に返送される。
【００３９】
[0052]  送信機システム２１０において、受信機システム２５０からの変調信号は、アンテナ２２４によって受信され、受信機２２２によって調整され、復調器２４０によって復調され、ＲＸデータプロセッサ２４２によって処理されて、受信機システム２５０によって送信されたアップリンクメッセージが抽出される。その後、プロセッサ２３０は、ビームフォーミング重みを決定するためにどのプリコーディング行列を使用するかを決定し、その後、抽出されたメッセージを処理する。
【００４０】
[0053]  図３は、ダウンリンクロングタームエボリューション（ＬＴＥ）通信における例示的なフレーム構造を概念的に示すブロック図である。ダウンリンク用の送信タイムラインは、無線フレームの単位に分割され得る。各無線フレームは、所定の持続時間（例えば、１０ミリ秒（ｍｓ））を有し得、０〜９のインデクスを有する１０個のサブフレームに分割され得る。各サブフレームは、２つのスロットを含み得る。従って、各無線フレームは、０〜１９のインデックスを有する２０個のスロットを含み得る。各スロットは、Ｌ個のシンボル期間、例えば、（図３に示されるような）通常のサイクリックプレフィックスのための７個のシンボル期間、または拡張されたサイクリックプレフィックスのための６個のシンボル期間を含み得る。各サブフレームにおける２Ｌ個のシンボル期間は、０〜２Ｌ−１のインデックスを割り当てられ得る。利用可能な時間周波数リソースは、リソースブロックに分割され得る。各リソースブロックは、１つのスロットにおいてＮ個のサブキャリア（例えば、１２個のサブキャリア）をカバーし得る。
【００４１】
[0054]  ＬＴＥでは、ｅＮＢが、ｅＮＢにおけるセル毎に、プライマリ同期信号（ＰＳＳ）とセカンダリ同期信号（ＳＳＳ）を送り得る。図３に示されるように、ＰＳＳおよびＳＳＳは、通常のサイクリックプレフィクスの場合、各無線フレームのサブフレーム０および５の各々におけるシンボル期間６および５でそれぞれ送られ得る。同期信号は、セルの検出および獲得のためにＵＥによって使用され得る。ｅＮＢは、サブフレーム０のスロット１におけるシンボル期間０〜３において、物理ブロードキャストチャネル（ＰＢＣＨ）を送り得る。ＰＢＣＨは、ある特定のシステム情報を搬送し得る。
【００４２】
[0055]  ｅＮＢは、ｅＮＢにおけるセル毎に、セル固有の基準信号（ＣＲＳ）を送り得る。ＣＲＳは、通常のサイクリックプレフィックスの場合、各スロットのシンボル０、１、および４において、および、拡張されたサイクリックプレフィックスの場合、各スロットのシンボル０、１、および３において、送られ得る。ＣＲＳは、物理チャネルのコヒーレント復調、タイミングおよび周波数トラッキング、無線リンクモニタリング（ＲＬＭ）、基準信号受信電力（ＲＳＲＰ）、および基準信号受信品質（ＲＳＲＱ）測定、等のために、ＵＥによって使用され得る。
【００４３】
[0056]  ｅＮＢは、図３で見られるように、各サブフレームの最初のシンボル期間において物理制御フォーマットインジケータチャネル（ＰＣＦＩＣＨ）を送り得る。ＰＣＦＩＣＨは、制御チャネルに使用されるシンボル期間の数（Ｍ）を伝達し得、ここで、Ｍは、１、２、または３に等しく、サブフレーム毎に変わり得る。Ｍはまた、例えば、１０未満のリソースブロックを有する小さなシステム帯域幅で、４に等しくなり得る。図３に示される例で、Ｍ＝３である。ｅＮＢは、各サブフレームの最初のＭ個のシンボル期間において、物理ＨＡＲＱインジケータチャネル（ＰＨＩＣＨ）および物理ダウンリンク制御チャネル（ＰＤＣＣＨ）を送り得る。ＰＤＣＣＨおよびＰＨＩＣＨはまた、図３に示される例で、最初の３つのシンボル期間に含まれる。ＰＨＩＣＨは、ハイブリッド自動再送要求（ＨＡＲＱ）をサポートするための情報を搬送し得る。ＰＤＣＣＨは、ＵＥのためのリソース割り当てに関する情報と、ダウンリンクチャネルのための制御情報を搬送し得る。ｅＮＢは、各サブフレームの残りのシンボル期間において、物理ダウンリンク共有チャネル（ＰＤＳＣＨ）を送り得る。ＰＤＳＣＨは、ダウンリンク上でのデータ伝送のためにスケジュールされたＵＥのためのデータを搬送し得る。ＬＴＥにおける様々な信号およびチャネルは、「発展型ユニバーサル地上無線接続（Ｅ−ＵＴＲＡ）；物理チャネルおよび変調（Evolved Universal Terrestrial Radio Access (E-UTRA); Physical Channels and Modulation）」と題する、公的に利用可能な３ＧＰＰ ＴＳ ３６．２１１において説明されている。
【００４４】
[0057]  ｅＮＢは、ｅＮＢによって使用されるシステム帯域幅の中心である１．０８ＭＨｚにおいて、ＰＳＳ、ＳＳＳ、およびＰＢＣＨを送り得る。ｅＮＢは、ＰＣＦＩＣＨおよびＰＨＩＣＨを、これらのチャネルが送られる各シンボル期間において、システム帯域幅全体にわたって送り得る。ｅＮＢは、システム帯域幅のある特定の部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥに対してブロードキャスト方式でＰＳＳ、ＳＳＳ、ＰＢＣＨ、ＰＣＦＩＣＨ、およびＰＨＩＣＨを送り、特定のＵＥに対してユニキャスト方式でＰＤＣＣＨを送り、また、特定のＵＥに対してユニキャスト方式でＰＤＳＣＨを送り得る。
【００４５】
[0058]  多数のリソースエレメントが各シンボル期間において利用可能であり得る。各リソースエレメントは、１つのシンボル期間において１つのサブキャリアをカバーし、１つの変調シンボルを送信するために使用され得、それは、実数または複素数であり得る。各シンボル期間における基準信号に使用されないリソースエレメントは、リソースエレメントグループ（ＲＥＧ）内に配置され得る。各ＲＥＧは、１つのシンボル期間において４つのリソースエレメントを含み得る。ＰＣＦＩＣＨは、４つのＲＥＧを占有し、それは、シンボル期間０において周波数にわたってほぼ等しく間隔を開けられ得る。ＰＨＩＣＨは、３つのＲＥＧを占有し、それは、１つ以上の設定可能なシンボル期間において周波数にわたって拡散され得る。例えば、ＰＨＩＣＨのための３つのＲＥＧは、すべてシンボル期間０に属し得るか、またはシンボル期間０、１および２において拡散され得る。ＰＤＣＣＨは、９、１８、３２、または６４個のＲＥＧを占有し得、それらは、最初のＭ個のシンボル期間において、利用可能なＲＥＧから選択され得る。ＲＥＧのある特定の組み合わせのみが、ＰＤＣＣＨに対して許可され得る。
【００４６】
[0059]  ＵＥは、ＰＨＩＣＨおよびＰＣＦＩＣＨに使用される特定のＲＥＧを知り得る。ＵＥは、ＰＤＣＣＨのために、ＲＥＧの異なる組み合わせを探索し得る。探索するための組み合わせの数は典型的に、ＰＤＣＣＨに対して許可される組み合わせの数より少ない。ｅＮＢは、ＵＥが探索するであろう任意の組合せにおいてＰＤＣＣＨをＵＥに送り得る。
【００４７】
[0060]  図４は、アップリンクロングタームエボリューション（ＬＴＥ）通信における例示的なフレーム構造を概念的に示すブロック図である。アップリンクのために利用可能なリソースブロック（ＲＢ）は、データセクションと制御セクションとに分割され得る。制御セクションは、システム帯域幅の２つの端において形成され得、設定可能なサイズを有し得る。制御セクションにおけるリソースブロックは、制御情報の送信のためにＵＥに割り当てられ得る。データセクションは、制御セクションに含まれないすべてのリソースブロックを含み得る。図４の設計は、連続するサブキャリアを含むデータセクションをもたらし、これは、単一のＵＥに、データセクションにおけるすべての連続するサブキャリアが割り当てられることを可能にし得る。
【００４８】
[0061]  ＵＥは、ｅＮＢに制御情報を送信するために、制御セクションにおけるリソースブロックを割り当てられ得る。ＵＥはまた、ｅＮＢにデータを送信するために、データセクションにおけるリソースブロックを割り当てられ得る。ＵＥは、制御セクションにおける割り当てられたリソースブロック上の物理アップリンク制御チャネル（ＰＵＣＣＨ）において、制御情報を送信し得る。ＵＥは、データセクションにおける割り当てられたリソースブロック上の物理アップリンク共有チャネル（ＰＵＳＣＨ）において、データのみ、またはデータと制御情報の両方を送信し得る。アップリンク送信は、図４に示されるように、サブフレームの両方のスロットにまたがり（span）、周波数にわたってホッピングし得る。
【００４９】
[0062]  ＬＴＥにおけるＰＳＳ、ＳＳＳ、ＣＲＳ、ＰＢＣＨ、ＰＵＣＣＨおよびＰＵＳＣＨは、「発展型ユニバーサル地上無線接続（Ｅ−ＵＴＲＡ）；物理チャネルおよび変調（Evolved Universal Terrestrial Radio Access (E-UTRA); Physical Channels and Modulation）」と題する、公的に利用可能な３ＧＰＰ ＴＳ ３６．２１１に説明されている。
【００５０】
[0063]  一態様では、マルチ無線共存の解決策を容易にするために、３ＧＰＰ ＬＴＥ環境または同様のもののような、ワイヤレス通信環境内にサポートを提供するためのシステムおよび方法が、本明細書に説明される。
【００５１】
[0064]  ここで図５を参照すると、本明細書で説明される様々な態様が機能し得る実例的なワイヤレス通信環境５００が示される。ワイヤレス通信環境５００は、ワイヤレスデバイス５１０を含み得、それは、複数の通信システムと通信可能であり得る。これらのシステムは、例えば、１つ以上のセルラシステム５２０および／または５３０、１つ以上のＷＬＡＮシステム５４０および／または５５０、１つ以上のワイヤレスパーソナルエリアネットワーク（ＷＰＡＮ）システム５６０、１つ以上のブロードキャストシステム５７０、１つ以上の衛星測位システム５８０、図５に示されていない他のシステム、またはこれらの任意の組み合わせを含み得る。以下の説明では、「ネットワーク」および「システム」という用語が、しばしば同義で使用されることが理解されるべきである。
【００５２】
[0065]  セルラシステム５２０および５３０は、それぞれＣＤＭＡ、ＴＤＭＡ、ＦＤＭＡ、ＯＦＤＭＡ、シングルキャリアＦＤＭＡ（ＳＣ−ＦＤＭＡ）、または他の適切なシステムであり得る。ＣＤＭＡシステムは、ユニバーサル地上無線アクセス（ＵＴＲＡ）、ｃｄｍａ２０００、等のような無線技術を実現し得る。ＵＴＲＡは、広帯域ＣＤＭＡ（ＷＣＤＭＡ（登録商標））およびＣＤＭＡの他の変形を含む。さらに、ｃｄｍａ２０００は、ＩＳ−２０００（ＣＤＭＡ２０００ １Ｘ）、ＩＳ−９５およびＩＳ−８５６（ＨＲＰＤ）規格をカバーする。ＴＤＭＡシステムは、モバイル通信のためのグローバルシステム（ＧＳＭ）、デジタルアドバンストモバイル電話システム（Ｄ−ＡＭＰＳ）、等のような無線技術を実現し得る。ＯＦＤＭＡシステムは、発展型ＵＴＲＡ（Ｅ−ＵＴＲＡ）、ウルトラモバイルブロードバンド（ＵＭＢ）、ＩＥＥＥ ８０２．１６（ＷｉＭＡＸ）、ＩＥＥＥ ８０２．２０、フラッシュＯＦＤＭ、等のような無線技術を実現し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの最新のリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に説明されている。ｃｄｍａ２０００およびＵＭＢは、「第３世代パートナーシッププロジェクト２」（３ＧＰＰ２）と呼ばれる団体からの文書に説明されている。一態様では、セルラシステム５２０が、多数の基地局５２２を含み得、それらは、それらのカバレッジ内のワイヤレスデバイスのための双方向通信をサポートし得る。同様に、セルラシステム５３０は、それらのカバレッジ内のワイヤレスデバイスのための双方向通信をサポートし得る多数の基地局５３２を含み得る。
【００５３】
[0066]  ＷＬＡＮシステム５４０および５５０は、ＩＥＥＥ ８０２．１１（Ｗｉ−Ｆｉ（登録商標））、Ｈｉｐｅｒｌａｎ、等のような無線技術をそれぞれ実現し得る。ＷＬＡＮシステム５４０は、双方向通信をサポートし得る１つ以上のアクセスポイント５４２を含み得る。同様に、ＷＬＡＮシステム５５０は、双方向通信をサポートし得る１つ以上のアクセスポイント５５２を含み得る。ＷＰＡＮシステム５６０は、Ｂｌｕｅｔｏｏｔｈ（ＢＴ）、ＩＥＥＥ ８０２．１５、等のような無線技術を実現し得る。さらに、ＷＰＡＮシステム５６０は、ワイヤレスデバイス５１０、ヘッドセット５６２、コンピュータ５６４、マウス５６６、または同様のもののような、様々なデバイスのための双方向通信をサポートし得る。
【００５４】
[0067]  ブロードキャストシステム５７０は、テレビジョン（ＴＶ）ブロードキャストシステム、周波数変調（ＦＭ）ブロードキャストシステム、デジタルブロードキャストシステム、等であり得る。デジタルブロードキャストシステムは、ＭｅｄｉａＦＬＯ（登録商標）、ハンドヘルドのためのデジタルビデオブロードキャスティング(ＤＶＢ−Ｈ)、地上波テレビジョンブロードキャスティングのための統合サービスデジタルブロードキャスティング（ＩＳＤＢ−Ｔ）、または同様のもののような、無線技術を実現し得る。さらに、ブロードキャストシステム５７０は、一方向通信をサポートし得る１つ以上のブロードキャスト局５７２を含み得る。
【００５５】
[0068]  衛星測位システム５８０は、米国の全地球測位システム（ＧＰＳ）、欧州のガリレオシステム、ロシアのＧＬＯＮＡＳＳシステム、日本上空の準天頂衛星システム（ＱＺＳＳ：Quasi-Zenith Satellite System）、インド上空のインド地域航法衛星システム（ＩＲＮＳＳ：Indian Regional Navigational Satellite System）、中国上空の北斗システム（Beidou system）、および／または、任意の他の適切なシステムであり得る。さらに、衛星測位システム５８０は、位置決定のための信号を送信する多数の衛星５８２を含み得る。
【００５６】
[0069]  一態様では、ワイヤレスデバイス５１０が、固定またはモバイルであり得、ユーザ機器（ＵＥ）、移動局、モバイル機器、端末、アクセス端末、加入者ユニット、局、等とも呼ばれ得る。ワイヤレスデバイス５１０は、セルラ電話、携帯情報端末（ＰＤＡ）、ワイヤレスモデム、ハンドヘルドデバイス、ラップトップコンピュータ、コードレス電話、ワイヤレスローカルループ（ＷＬＬ）局、等であり得る。加えて、ワイヤレスデバイス５１０は、セルラシステム５２０および／または５３０、ＷＬＡＮシステム５４０および／または５５０、ＷＰＡＮシステム５６０を有するデバイス、および／または、任意の他の適切な（単数または複数の）システムおよび／または（単数または複数の）デバイスとの双方向通信に従事し得る。ワイヤレスデバイス５１０は、追加または代替として、ブロードキャストシステム５７０および／または衛星測位システム５８０から信号を受信し得る。一般に、ワイヤレスデバイス５１０は、任意の所与の瞬間において、任意の数のシステムと通信し得ることが理解され得る。また、ワイヤレスデバイス５１０は、同時に動作する、その構成要素である無線デバイスのうちの様々なものの間で、共存問題を経験し得る。従って、以下にさらに説明されるように、デバイス５１０は、共存問題を検出および緩和するための機能モジュールを有する共存マネージャ（ＣｘＭ、図示せず）を含む。
【００５７】
[0070]  次に図６を参照すると、マルチ無線ワイヤレスデバイス６００のための実例的な設計を示すブロック図が提供され、図５の無線機５１０の実現として使用され得る。図６が示すように、ワイヤレスデバイス６００は、Ｎ個の無線機６２０ａ〜６２０ｎを含み得、それらは、Ｎ個のアンテナ６１０ａ〜６１０ｎにそれぞれ結合され得、ここで、Ｎは、任意の整数値であり得る。しかしながら、それぞれの無線機６２０は、任意の数のアンテナ６１０に結合され得、複数の無線機６２０はまた、所与のアンテナ６１０を共有し得ることが理解されるべきである。
【００５８】
[0071]  一般に、無線機６２０は、電磁スペクトルにおいてエネルギーを放射または放出し、電磁スペクトルにおいてエネルギーを受信し、あるいは伝導手段を介して伝搬するエネルギーを生成するユニットであり得る。例として、無線機６２０は、システムまたはデバイスに信号を送信するユニット、または、システムあるいはデバイスから信号を受信するユニットであり得る。従って、無線機６２０は、ワイヤレス通信をサポートするために利用され得ることが理解され得る。別の例で、無線機６２０はまた、他の無線機のパフォーマンスに影響を及ぼし得るノイズを放出するユニット（例えば、コンピュータ上のスクリーン、回路基板、等）であり得る。従って、無線機６２０はまた、ワイヤレス通信をサポートすることなくノイズおよび干渉を放出するユニットでもあり得ることがさらに理解され得る。
【００５９】
[0072]  一態様では、それぞれの無線機６２０が、１つ以上のシステムとの通信をサポートし得る。複数の無線機６２０は、追加または代替として、例えば、異なる周波数帯域（例えば、セルラ帯域およびＰＣＳ帯域）上で送信または受信するために、所与のシステムに使用され得る。
【００６０】
[0073]  別の態様では、デジタルプロセッサ６３０が、無線機６２０ａ〜６２０ｎに結合され得、無線機６２０を介して送信または受信されるデータのための処理のような、様々な機能を行い得る。各無線機６２０のための処理は、その無線機によってサポートされる無線技術に依存し得、送信機のための暗号化（encryption）、符号化、変調等、受信機のための復調、復号、解読（decryption）等、または同様のものを含み得る。一例で、概して本明細書で説明されるように、デジタルプロセッサ６３０は、ワイヤレスデバイス６００のパフォーマンスを改善するために、無線機６２０の動作を制御し得る共存マネージャ（ＣｘＭ）６４０を含み得る。共存マネージャ６４０は、無線機６２０の動作を制御するために使用される情報を記憶し得る、データベース６４４へのアクセスを有し得る。以下にさらに説明されるように、共存マネージャ６４０は、無線機間の干渉を低減させる様々な技法のために適合され得る。一例で、共存マネージャ６４０は、ＬＴＥが非アクティブな期間中に、ＩＳＭ無線が通信することを可能にするＤＲＸサイクルまたは測定ギャップパターン（a measurement gap pattern）を要求する。
【００６１】
[0074]  簡潔さのために、デジタルプロセッサ６３０は、単一のプロセッサとして図６に示される。しかしながら、デジタルプロセッサ６３０は、任意の数のプロセッサ、コントローラ、メモリ、等を含み得ることが理解されるべきである。一例で、コントローラ／プロセッサ６５０は、ワイヤレスデバイス６００内の様々なユニットの動作を指示し得る。追加または代替として、メモリ６５２は、ワイヤレスデバイス６００のためのプログラムコードおよびデータを記憶し得る。デジタルプロセッサ６３０、コントローラ／プロセッサ６５０、およびメモリ６５２は、１つ以上の集積回路（ＩＣ）、特定用途向け集積回路（ＡＳＩＣ）、等で実現され得る。特定の非限定的な例として、デジタルプロセッサ６３０は、移動局モデム（ＭＳＭ）ＡＳＩＣで実現され得る。
【００６２】
[0075]  一態様では、共存マネージャ６４０が、それぞれの無線機６２０間の干渉および／または衝突と関連付けられる他のパフォーマンス低下を回避するために、ワイヤレスデバイス６００によって利用されるそれぞれの無線機６２０の動作を管理し得る。共存マネージャ６４０は、図１１および１２に示されるもののような、１つ以上のプロセスを行い得る。さらなる実例として、図７のグラフ７００は、所与の決定期間における７つの実例的な無線機間のそれぞれの潜在的な衝突を表す。グラフ７００に示される例で、７つの無線機は、ＷＬＡＮ送信機（Ｔｗ）、ＬＴＥ送信機（Ｔｌ）、ＦＭ送信機（Ｔｆ）、ＧＳＭ／ＷＣＤＭＡ送信機（Ｔｃ／Ｔｗ）、ＬＴＥ受信機（Ｒｌ）、Ｂｌｕｅｔｏｏｔｈ受信機（Ｒｂ）、およびＧＰＳ受信機（Ｒｇ）を含む。４つの送信機は、グラフ７００の左側の４つのノードによって表される。４つの受信機は、グラフ７００の右側の３つのノードによって表される。
【００６３】
[0076]  送信機と受信機との間の潜在的な衝突は、送信機のためのノードと受信機のためのノードとを接続するブランチ（branch）によってグラフ７００上で表される。従って、グラフ７００に示される例で、衝突は、（１）ＷＬＡＮ送信機（Ｔｗ）とＢｌｕｅｔｏｏｔｈ受信機（Ｒｂ）との間、（２）ＬＴＥ送信機（Ｔｌ）とＢｌｕｅｔｏｏｔｈ受信機（Ｒｂ）との間、（３）ＷＬＡＮ送信機（Ｔｗ）とＬＴＥ受信機（Ｒｌ）との間、（４）ＦＭ送信機（Ｔｆ）とＧＰＳ受信機（Ｒｇ）との間、（５）ＷＬＡＮ送信機（Ｔｗ）と、ＧＳＭ／ＷＣＤＭＡ送信機（Ｔｃ／Ｔｗ）と、ＧＰＳ受信機（Ｒｇ）との間、に存在し得る。
【００６４】
[0077]  一態様では、実例的な共存マネージャ６４０が、図８における図８００によって示されるような方法で、時間において動作し得る。図８００が示すように、共存マネージャ動作のためのタイムラインは、決定ユニット（ＤＵ）に分割され得、それは、通知が処理される任意の適切な均一または不均一な長さ（例えば、１００μｓ）と、コマンドが様々な無線機６２０に提供される、および／または、その他の動作が評価フェーズで行われた動作に基づいて行われる応答フェーズ（例えば、２０μｓ）であり得る。一例で、図８００に示されるタイムラインは、例えば、通知が所与のＤＵにおける通知フェーズの終了直後に所与の無線機から取得されるケースにおける応答のタイミングのような、タイムラインの最悪のケースの動作によって定義されるレイテンシパラメータ（a latency parameter）を有し得る。
【００６５】
[0078]  図９に示されるように、（周波数分割デュプレックス（ＦＤＤ）アプリンクのための）帯域７、（時分割デュプレックス（ＴＤＤ）通信のための）帯域４０、および（ＴＤＤダウンリンクのための）帯域３８におけるロングタームエボリューション（ＬＴＥ）は、Ｂｌｕｅｔｏｏｔｈ（ＢＴ）技術およびワイヤレスローカルエリアネットワーク（ＷＬＡＮ）技術によって使用される２．４ＧＨｚ産業科学医療（ＩＳＭ）帯域に隣接する。これらの帯域のための周波数計画（frequency planning）は、隣接する周波数における干渉を回避するための従来のフィルタリング解決策を可能にする保護周波数帯域（guard band）が制限されるか、存在しないようになっている。例えば、２０ＭＨの保護周波数帯域はＩＳＭと帯域７との間に存在するが、ＩＳＭと帯域４０との間には保護周波数帯域は存在しない。
【００６６】
[0079]  適切な規格に準拠するように、特定の帯域で動作する通信デバイスは、指定された周波数範囲全体にわたって動作可能であるべきである。例えば、ＬＴＥに準拠するために、移動局／ユーザ機器は、第３世代パートナーシッププロジェクト（３ＧＰＰ）によって定義されるように、帯域４０（２３００−２４００ＭＨｚ）と帯域７（２５００−２５７０ＭＨｚ）との両方の全体にわたって通信可能であるべきである。十分な保護周波数帯域なしで、デバイスが他の帯域にオーバーラップするフィルタを用いることは、帯域干渉を引き起こす。帯域４０フィルタは、帯域全体をカバーするために１００ＭＨｚ幅であるので、これらのフィルタからのロールオーバ（rollover）がＩＳＭ帯域へクロスオーバする（crosses over）ことは、干渉を引き起こす。同様に、ＩＳＭ帯域の全体（例えば、２４０１ＭＨｚから約２４８０ＭＨｚ）を使用するＩＳＭデバイスは、近隣の帯域４０と帯域７へロールオーバするフィルタを用い、干渉を引き起こし得る。
【００６７】
[0080]  デバイス内共存問題は、例えば、（例えば、Ｂｌｕｅｔｏｏｔｈ／ＷＬＡＮのための）ＬＴＥ帯域とＩＳＭ帯域とのようなリソース間で、ＵＥに関して存在し得る。現在のＬＴＥ実現において、ＬＴＥに対する任意の干渉問題は、ｅＮＢが、例えば、ＬＴＥを共存問題のないチャネルまたはＲＡＴに移動するための、周波数間またはＲＡＴ間のハンドオフ決定を行うために使用し得るダウンリンク誤り率および／またはＵＥによって報告されるダウンリンク測定値（例えば、基準信号受信品質（ＲＳＲＱ）メトリック等）に反映される。しかしながら、例えば、ＬＴＥアップリンクは、Ｂｌｕｅｔｏｏｔｈ／ＷＬＡＮに対して干渉を引き起こしているが、ＬＴＥダウンリンクは、Ｂｌｕｅｔｏｏｔｈ／ＷＬＡＮからの干渉が少しも見られない場合、これらの既存の技法は、機能しないことが理解され得る。より具体的には、たとえＵＥがアップリンク上の別のチャネルにそれ自体を自律的に移動したとしても、ｅＮＢは、いくつかの場合において、負荷バランシング目的（load balancing purposes）のために、問題のあるチャネルにＵＥをハンドオーバして戻し得る。いかなる場合でも、既存の技法は、問題のあるチャネルの帯域幅の使用を、最も効率的な方法で容易にする訳ではないことが理解され得る。
【００６８】
[0081]  ここで図１０を参照すると、マルチ無線共存管理のためにワイヤレス通信環境内のサポートを提供するためのシステム１０００のブロック図が示されている。一態様では、システム１０００が、１つ以上のＵＥ １０１０および／またはｅＮＢ １０４０を含み得、これらは、アップリンクおよび／またはダウンリンクの通信、および／または、互いとおよび／またはシステム１０００における任意の他のエンティティとの任意の他の適切な通信に従事し得る。一例で、ＵＥ １０１０および／またはｅＮＢ １０４０は、周波数チャネルおよびサブバンドを含む、様々なリソースを使用して通信するように動作可能であり得、そのうちのいくつかは、他の無線リソース（例えば、ＬＴＥモデムのようなブロードバンド無線）と潜在的に衝突し得る。従って、ＵＥ １０１０は、本明細書で概して説明されるような、ＵＥ １０１０によって利用される複数の無線機間での共存を管理するための様々な技法を利用し得る。
【００６９】
[0082]  少なくとも上記の欠点を緩和するために、ＵＥ １０１０またはｅＮＢ １０４０は、本明細書に説明され、システム１０００によって示されるそれぞれの特徴を利用してＵＥ １０１０内のマルチ無線共存のためのサポートを容易にし得る。例えば、自律拒否構成モジュール１０１２／１０１４は、共存管理のための自立拒否の存在下でシステム運用を構成する動作を調整するためにＵＥまたはｅＮＢのいずれかに提供され得る。自律拒否構成モジュール１０１２は、いくつかの例で、図６の共存マネージャ６４０のような共存マネージャの一部として実現され得る。モジュール１０１２および１０１４並びにその他のモジュールは、本明細書で説明される実施形態を実現するように構成され得る。
【００７０】
[0083]  マルチ無線共存のための自律拒否構成
[0084]  自律拒否は、ＵＥのような、単一のデバイス上で複数の潜在的に干渉する複数の無線アクセス技術（ＲＡＴs）間のデバイス内共存を管理するための１つの技法である。自律拒否において、ＵＥは、共存マネージャの動作を通して、１つのＲＡＴの基地局によってスケジュールされたこのＲＡＴのアップリンク通信が最初のＲＡＴによる干渉から別のＲＡＴの優先度の高いイベントを保護するために基地局の事前知識（prior knowledge）のないＵＥによって拒否され得ると決定し得る。例えば、ＵＥにおけるＢｌｕｅｔｏｏｔｈまたはＷＬＡＮ（ワイヤレスローカルエリアネットワーク）のようなＩＳＭ無線は、アップリンク通信がＵＥのＬＴＥ無線機のためにスケジュールされるのと同時に、優先度の高いダウンリンク通信を予期でき、このＬＴＥアップリンク通信はＬＴＥ ｅＮＢによってスケジュールされるものである。ＩＳＭ通信およびＬＴＥ通信は同時に生じるようにスケジュールされるので、ＬＴＥアップリンク通信がＩＳＭダウンリンク通信に対して干渉を引き起こし得る可能性がある。よって、ＵＥにおける共存マネージャは、優先度の高いＩＳＭダウンリンク通信を保護するために、ＵＥのＬＴＥ無線機がアップリンク通信を行うことを防ぐ（すなわち、拒否する）ことを自身で（すなわち、自律的に）決定し得る。
【００７１】
[0085]  ＵＥによる自律拒否が原因でＬＴＥアップリンク通信が中止された場合、スケジュールされた時間中にアップリンク通信を予期するＬＴＥ ｅＮＢは、決してそれを受信しない。これは、潜在的にＵＥとｅＮＢとの間の継続中のＬＴＥ通信に影響を及ぼし得る。
【００７２】
[0086]  ＬＴＥ通信に対する望ましくない影響を回避するために、ＵＥによる自律拒否のレートに対する長期制限（long-term limit）が、２つのパラメータを使用してｅＮＢによって構成され得る。第１のパラメータは、許可されたサブフレーム拒否の数をつかさどる（govern）。例えば、潜在的な値（potential values）は、２、５、１０、１５、２０、または３０個のサブフレームを含む。第２のパラメータは、拒否の数が許可されるウィンドウをつかさどる。例えば、潜在的なウィンドウ値は、２００ｍｓ、５００ｍｓ、１秒、または２秒以内を含む。ＵＥ側の自律拒否は、その後、ｅＮＢによって設定されたパラメータに一致し得る（conform to）。例えば、ｅＮＢが１秒以内に５個の許容サブフレーム拒否を構成する場合、ｅＮＢは、ＵＥが１秒以内に５個以上のアップリンクサブフレームを拒否し得ないことを予期する。パラメータは、ｅＮＢが許容できる構成された自律拒否レートを確立するように結合し得る。構成された自律拒否レートは、ｅＮＢが許容できるあらゆるレートとなるようにｅＮＢによって選ばれ得るが、一態様では１％から３％までのレートである。
【００７３】
[0087]  ある特定状況では、ｅＮＢの構成された許容できる自律拒否レートは、所望のＵＥ動作には不十分であり得る。例えば、１秒以内に５個のサブフレームは、ＵＥによるＢｌｕｅｔｏｏｔｈスキャンを保護するのに不十分であり得、これは、ＵＥが１秒周期内に１０個のＬＴＥサブフレームを拒否することを所望する結果になり得る。更なる例として、１秒以内に５個サブフレームは、ＵＥによるＷＬＡＮビーコンスキャンを保護するのに不十分であり得、ＵＥは、１秒の期間内に１０個のＬＴＥサブフレーム拒否を所望し得る。このようなシナリオでは、ＵＥがｅＮＢの構成されたＬＴＥ拒否レートを満たすために、（潜在的に相反するＩＳＭイベントのような）その制御内でのイベントの優先順位を調整し得る。例えば、ＵＥは、ＬＴＥ ｅＮＢの構成された拒否レートと一致するように受信される保護されたＷＬＡＮビーコンまたはＢｌｕｅｔｏｏｔｈスキャンの数を変更し得る。優先順位を調整することは、ｅＮＢによって構成されたＬＴＥ自律拒否レートが提供されるＵＥ上の共存マネージャまたは他のエンティティによって行われ得る。他の状況では、ＵＥがＬＴＥ通信の自律拒否を行うのでなく、むしろ優先度の高いＩＳＭアクティビティが干渉なしで進行することを可能にするＬＴＥアップリンクアクティビティ間の十分な時間が認可されるように、ＵＥ共存マネージャは、ＬＴＥ ｅＮＢが（十分に長い非連続的受信／送信の通信をスケジュールするような）ＵＥとの通信のための時分割多重化（ＴＤＭ）構成を構成することを要求するＬＴＥ無線機へのデバイス内共存メッセージをトリガリングし得る。
【００７４】
[0088]  このような変更されたＴＤＭ構成についての要求は、ともすればＬＴＥ通信の自律拒否をもたらすかもしれない優先度の高いＵＥイベントの前に送られ得る。例えば、周期的なＢｌｕｅｔｏｏｔｈスキャンより前に、ＵＥは、自律拒否を行わなかったり、ｅＮＢによって確立された自律拒否パラメータ内で自律拒否を行ったりして完了する十分な時間をＢｌｕｅｔｏｏｔｈスキャンのために与えるためにｅＮＢからの変更されたＴＤＭ構成を要求し得る。ＵＥはまた、ＢｌｕｅｔｏｏｔｈまたはＷＬＡＮに対する干渉が低減されてより少ない自律拒否しか必要とされない周波数チャネルにＵＥが移動されるように、周波数分割多重（ＦＤＭ）の解決策を要求するＬＴＥ ｅＮＢへのデバイス内共存メッセージをトリガリングし得る。
【００７５】
[0089]  いくつかの場合では、変更されたＴＤＭ構成のための要求が、ｅＮＢパラメータ内での許された自律拒否を考慮しても、優先度の高いタスクを完了するための十分な機会を依然としてＵＥに提供しないＴＤＭ構成をｅＮＢが割り当てる結果になり得る。これらの場合には、ＵＥがｅＮＢからの代替のＴＤＭ構成を要求し得たり、ＵＥが、優先度の高いＩＳＭ通信について、構成された自律拒否レートを超える自律拒否を行い得たりする。他の場合には、ＵＥがまた、例えば、変更されたＴＤＭ構成を要求するために予め十分に予測されない優先度の高いＩＳＭ通信ためなどに構成された自律拒否レートを上回り得る。
【００７６】
[0090]  ＵＥによる自律拒否の別の要因は、ＵＥからｅＮＢへの測定報告に対する影響である。ある特定のＬＴＥ通信プロトコルの下では、レイテンシ制約（latency constraints）が測定報告に適用され得る。例えば、一度測定報告がトリガリングされると、ＵＥは、次の利用可能なＬＴＥアップリンク機会についての測定報告を送ると予期され得る。この次のＬＴＥアップリンク機会がＵＥによる自律拒否を受ける場合、ｅＮＢへの測定報告が遅れ得る。いくつかの技法は、このような遅延の影響を低減するために用いられ得る。一態様では、ＵＥが、自律拒否が完了するまで、内部で測定報告の優先順位を下げ得る（de-prioritize）。自律拒否されたＬＴＥアップリンクサブフレームが連続的でない場合、ＵＥは、拒否されたサブフレーム間において測定報告を送り得る。自律拒否されたＬＴＥアップリンクサブフレームが連続的である場合、ＵＥは、最初の(the first)利用可能な拒否されていないＬＴＥアップリンクサブフレームにおいて測定報告を送り得る。ｅＮＢはまた、測定報告に対するその予期（expectation）に、ｅＮＢによって確立された構成された自律拒否レートを組み込み（build in）得る。例えば、ＬＴＥ通信プロトコルは、構成された自律拒否レートに従って（pursuant to）測定報告のためのウィンドウが上述したように各特定の時間期間内で特定のサブフレームの数を含むように拡張されることを考慮し得る。
【００７７】
[0091]  図１１に示されるように、ＵＥは、ブロック１１０２に示されるように第１のＲＡＴの基地局から自律拒否レートを受信し得る。ブロック１１０４に示されるように、ＵＥは、自律拒否レートに少なくとも部分的に基づいて第１のＲＡＴの通信を調整し得る。ブロック１１０６に示されるように、このＵＥは、調整された第１のＲＡＴの通信に基づいて第２のＲＡＴの通信を調整し得る。
【００７８】
[0092]  図１２に示されるように、ｅＮＢは、ブロック１２０２に示されるようにユーザ機器のための自律拒否レートを構成し得る。ブロック１２０４に示されるように、ｅＮＢは、構成された自律拒否レートに少なくとも部分的に基づいてユーザ機器のための予期された測定報告ウィンドウを調整し得る。
【００７９】
[0093]  図１３は、処理システム１３１４を用いる装置１３００のためのハードウェア実現の一例を示す図である。処理システム１３１４は、一般にバス１３２４によって表される、バスアーキテクチャで実現され得る。バス１３２４は、処理システム１３１４の特定アプリケーションと全体的な設計制約に依存して、任意の数の相互接続バスおよびブリッジを含み得る。バス１３２４は、プロセッサ１３２６、受信モジュール１３０２、調整モジュール１３０４、および構成モジュール１３０６によって表される、１つ以上のプロセッサおよび／またはハードウェアモジュールと、コンピュータ可読媒体１３２８とを含む様々な回路をともにリンクする。バス１３２４はまた、タイミングソース、周辺機器、電圧レギュレータ、および電力管理回路のような様々な他の回路をリンクさせ得るが、これらは、当該技術分野において周知であるため、さらに説明されない。
【００８０】
[0094]  装置は、トランシーバ１３２２に結合された処理システム１３１４を含む。トランシーバ１３２２は、１つ以上のアンテナ１３２０に結合される。トランシーバ１３２２は、送信媒体を通して他の様々な装置と通信するための手段を提供する。処理システム１３１４は、コンピュータ可読媒体１３２８に結合されたプロセッサ１３２６を含む。プロセッサ１３２６は、コンピュータ可読媒体１３２８に記憶されたソフトウェアの実行を含む、一般的な処理を担う。ソフトウェアは、プロセッサ１３２６によって実行された場合、処理システム１３１４に、任意の特定の装置について上記に説明した様々な機能を行わせる。コンピュータ可読媒体１３２８はまた、ソフトウェアを実行する場合、プロセッサ１３２６によって操作されるデータを記憶するために使用され得る。
【００８１】
[0095]  処理システム１３１４は、第１のＲＡＴの基地局から自律拒否レートを受信するための受信モジュール１３０２をさらに含む。処理システム１３１４は、自律拒否レートに少なくとも部分的に基づいて第１のＲＡＴの通信を調整し、調整された第１のＲＡＴの通信に基づいて第２のＲＡＴの通信を調整するための調整モジュール１３０４をさらに含む。調整モジュール１３０４は、さらに、構成された自律拒否レートに少なくとも部分的に基づいてユーザ機器のための予期された測定報告ウィンドウを調整するためのものであり得る。処理システム１３１４は、ユーザ機器のための自律拒否レートを構成するための構成モジュール１３０６をさらに含み得る。決定モジュール１３０２、調整モジュール１３０４、および構成モジュール１３０６は、プロセッサ１３２６において実行され、コンピュータ可読媒体１３２８に存在する／記憶されたソフトウェアモジュール、プロセッサ１３２６に結合された１つ以上のハードウェアモジュール、またはこれらの何らかの組み合わせであり得る。処理システム１３１４は、ＵＥ２５０またはｅＮＢの構成要素であり得、メモリ２７２／２３２および／またはプロセッサ２７０／２３０を含み得る。
【００８２】
[0096]  一構成では、ワイヤレス通信のための装置１３００が、受信するための手段を含む。この手段は、この手段によって記載された機能を行うように構成された、装置１３００の受信モジュール１３０２および／または処理システム１３１４であり得る。この手段は、アンテナ２５２／１３２０、受信機２５４、トランシーバ１３２２、プロセッサ１３２６、コンピュータ可読媒体１３２８、メモリ２７２、プロセッサ２７０、共存マネージャ６４０、および／または自律拒否構成モジュール１０１２をさらに含み得る。別の態様では、上述された手段が、上述された手段によって記載された機能を行うように構成された任意のモジュールまたは任意の装置であり得る。
【００８３】
[0097]  一構成では、ワイヤレス通信のための装置１３００が、構成するための手段を含む。この手段は、この手段によって記載された機能を行うように構成された、装置１３００の構成モジュール１３０６および／または処理システム１３１４であり得る。この手段は、トランシーバ１３２２、プロセッサ１３２６、コンピュータ可読媒体１３２８、メモリ２３２、プロセッサ２３０、および／または自律拒否構成モジュール１０１４をさらに含み得る。別の態様では、上述された手段が、上述された手段によって記載された機能を行うように構成された任意のモジュールまたは任意の装置であり得る。
【００８４】
[0098]  一構成では、ワイヤレス通信のための装置１３００が、調整するための手段を含む。この手段は、この手段によって記載された機能を行うように構成された、装置１３００の調整モジュール１３０４および／または処理システム１３１４であり得る。この手段は、アンテナ２２４／２５２／１３２０、受信機２５４／２２２、トランシーバ１３２２、プロセッサ１３２６、コンピュータ可読媒体１３２８、メモリ２７２／２３２、プロセッサ２７０／２３０、共存マネージャ６４０、および／または自律拒否構成モジュール１０１２／１０１４をさらに含み得る。別の態様では、上述された手段が、上述された手段によって記載された機能を行うように構成された任意のモジュールまたは任意の装置であり得る。
【００８５】
[0099]  上記例は、ＬＴＥシステムで実現される態様を説明する。しかしながら、本開示の範囲は、それに限定されるものではない。様々な態様は、ＣＤＭＡシステム、ＴＤＭＡシステム、ＦＤＭＡシステム、およびＯＦＤＭＡシステムを含むがそれらに限定されない様々な通信プロトコルのうちのいずれかを用いるもののような、他の通信システムとの使用のために適合され得る。
【００８６】
[0100]  開示された処理におけるステップの特定の順序または階層は、例示的なアプローチの例であることが理解される。設計の選択に基づいてこれら処理におけるステップの特定の順序または階層は、本開示の範囲内にとどまりながら再構成され得ることが理解される。添付の方法の請求項は、サンプルの順序において、様々なステップのエレメントを表し、表された特定の順序または階層に限定されるようには意図されない。
【００８７】
[0101]  当業者であれば、情報および信号が、様々な異なる技術および技法のうちのいずれかを使用して表され得ることを理解するであろう。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組み合わせによって表され得る。
【００８８】
[0102]  当業者であれば、本明細書に開示された態様に関連して説明された様々な例示的な論理ブロック、モジュール、回路、およびアルゴリズムステップが、電子ハードウェア、コンピュータソフトウェア、または両方の組み合わせとして実現され得ることをさらに理解するであろう。ハードウェアおよびソフトウェアのこの互換性を明確に示すために、様々な例示的な構成要素、ブロック、モジュール、回路、およびステップが、概してそれらの機能の観点から上記で説明されている。このような機能が、ハードウェアとして実現されるか、あるいはソフトウェアとして実現されるかは、特定のアプリケーションおよびシステム全体に課せられる設計制約に依存する。当業者であれば、説明された機能を特定のアプリケーション毎に様々な方法で実現し得るが、このような実現の決定が、本開示の範囲からの逸脱を生じるものと解釈されるべきではない。
【００８９】
[0103]  本明細書で開示された態様と関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタロジック、離散ハードウェア構成要素、あるいは本明細書で説明された機能を行うように設計されたこれらの任意の組み合わせを用いて実現または実行され得る。汎用プロセッサは、マイクロプロセッサであり得るが、代替として、プロセッサは、任意の従来のプロセッサ、コントローラ、マイクロコントローラ、またはステートマシンであり得る。プロセッサはまた、コンピューティングデバイスの組み合わせ、例えば、ＤＳＰとマイクロプロセッサの組み合わせ、複数のマイクロプロセッサ、ＤＳＰコアと連携した１つ以上のマイクロプロセッサ、あるいはその他任意のこのような構成として実現され得る。
【００９０】
[0104]  本明細書で開示された態様と関連して説明された方法またはアルゴリズムのステップは、直接ハードウェアにおいて、プロセッサによって実行されるソフトウェアモジュールにおいて、あるいは２つの組み合わせにおいて、具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術分野において周知である任意の他の形態の記憶媒体内に存在し得る。例示的な記憶媒体は、プロセッサがこの記憶媒体から情報を読み取り、また、この記憶媒体に情報を書き込むことができるように、プロセッサに結合され得る。代替として、記憶媒体は、プロセッサと一体化され得る。プロセッサおよび記憶媒体は、ＡＳＩＣ内に存在し得る。ＡＳＩＣは、ユーザ端末内に存在し得る。代替として、プロセッサおよび記憶媒体は、ユーザ端末内における離散コンポーネントとして存在し得る。
【００９１】
[0105]  開示された態様の先の説明は、本開示を製造または使用することをいずれの当業者にも可能にさせるために提供されている。これらの態様に対する様々な変更は、当業者に容易に理解され、本明細書で定義された一般的な原理は、本開示の精神または範囲から逸脱せずに、他の態様に適用され得る。従って、本開示は、本明細書に示された態様に限定されるようには意図されず、本明細書に開示される原理および新規な特徴と一致する最も広い範囲を与えられるべきである。
以下に、出願当初の特許請求の範囲に記載された発明を付記する。
［Ｃ１］
ワイヤレス通信のための方法であって、
第１の無線アクセス技術（ＲＡＴ）の基地局から自律拒否レートを受信することと、
前記自律拒否レートに少なくとも部分的に基づいて前記第１のＲＡＴの通信を調整することと、
前記調整された前記第１のＲＡＴの通信に少なくとも部分的に基づいて第２のＲＡＴの通信を調整することと
を備える、方法。
［Ｃ２］
前記調整することは、第２のＲＡＴの通信の優先順位を変更することを含む、Ｃ１に記載の方法。
［Ｃ３］
前記基地局から前記第１のＲＡＴの通信のための時分割多重（ＴＤＭ）通信パターンを要求することをさらに備え、前記調整することは、前記ＴＤＭ通信パターンに少なくとも部分的に基づいて前記第２のＲＡＴの通信を調整することを備える、Ｃ１に記載の方法。
［Ｃ４］
以前に割り当てられたＴＤＭ通信パターンが前記第１のＲＡＴの通信と前記第２のＲＡＴの通信との間に干渉をもたらし得る場合に、第２のＴＤＭ通信パターンを要求することをさらに備える、Ｃ３に記載の方法。
［Ｃ５］
前記自律拒否レートが前記第１のＲＡＴの通信と前記第２のＲＡＴの通信との間に干渉をもたらし得る場合に、前記第１のＲＡＴの通信を拒否することをさらに備える、Ｃ１に記載の方法。
［Ｃ６］
前記基地局から前記第１のＲＡＴの通信のための周波数分割多重（ＦＤＭ）通信構成を要求することをさらに備え、前記調整することは、前記ＦＤＭ通信構成に少なくとも部分的に基づいて前記第２のＲＡＴの通信を調整することを備える、Ｃ１に記載の方法。
［Ｃ７］
前記第１のＲＡＴの拒否されたアップリンクサブフレームのタイミングに少なくとも部分的に基づいて前記第１のＲＡＴの前記基地局へのシグナリングメッセージの送信を調整することをさらに備える、Ｃ１に記載の方法。
［Ｃ８］
前記シグナリングメッセージは測定報告である、Ｃ７に記載の方法。
［Ｃ９］
前記第１のＲＡＴの拒否されたアップリンクサブフレームに続く、第１の利用可能な拒否されないサブフレーム中に、前記第１のＲＡＴの前記基地局への前記シグナリングメッセージの送信をスケジュールすることをさらに備える、Ｃ１に記載の方法。
［Ｃ１０］
ワイヤレス通信のための装置であって、
第１の無線アクセス技術（ＲＡＴ）の基地局から自律拒否レートを受信するための手段と、
前記自律拒否レートに少なくとも部分的に基づいて前記第１のＲＡＴの通信を調整するための手段と、
前記調整された前記第１のＲＡＴの通信に少なくとも部分的に基づいて第２のＲＡＴの通信を調整するための手段と
を備える、装置。
［Ｃ１１］
ワイヤレスネットワークにおけるワイヤレス通信のためのコンピュータプログラム製品であって、
非一時的なプログラムコードを記憶したコンピュータ可読媒体を備え、前記プログラムコードは、
第１の無線アクセス技術（ＲＡＴ）の基地局から自律拒否レートを受信するためのプログラムコードと、 
前記自律拒否レートに少なくとも部分的に基づいて前記第１のＲＡＴの通信を調整するためのプログラムコードと、
前記調整された前記第１のＲＡＴの通信に少なくとも部分的に基づいて第２のＲＡＴの通信を調整するためのプログラムコードと
を備える、コンピュータプログラム製品。
［Ｃ１２］
ワイヤレス通信のための装置であって、
メモリと、
前記メモリに結合される少なくとも１つのプロセッサとを備え、前記少なくとも１つのプロセッサは、
第１の無線アクセス技術（ＲＡＴ）の基地局から自律拒否レートを受信し、
前記自律拒否レートに少なくとも部分的に基づいて前記第１のＲＡＴの通信を調整し、
前記調整された前記第１のＲＡＴの通信に少なくとも部分的に基づいて第２のＲＡＴの通信を調整するように構成される、装置。
［Ｃ１３］
前記少なくとも１つのプロセッサは、第２のＲＡＴの通信の優先順位を変更するようにさらに構成される、Ｃ１２に記載の装置。
［Ｃ１４］
前記少なくとも１つのプロセッサは、前記基地局から前記第１のＲＡＴの通信のためのＴＤＭ通信パターンを要求するようにさらに構成され、調整するように構成された前記少なくとも１つのプロセッサは、前記ＴＤＭ通信パターンに少なくとも部分的に基づいて前記第２のＲＡＴの通信を調整するように構成された前記少なくとも１つのプロセッサを備える、Ｃ１２に記載の方法。
［Ｃ１５］
前記少なくとも１つのプロセッサは、以前に割り当てられたＴＤＭ通信パターンが前記第１のＲＡＴの通信と前記第２のＲＡＴの通信との間に干渉をもたらし得る場合に、第２のＴＤＭ通信パターンを要求するようにさらに構成される、Ｃ１４に記載の装置。
［Ｃ１６］
前記少なくとも１つのプロセッサは、前記自律拒否レートが前記第１のＲＡＴの通信と前記第２のＲＡＴの通信との間に干渉をもたらし得る場合に、前記第１のＲＡＴの通信を拒否するようにさらに構成される、Ｃ１２に記載の装置。
［Ｃ１７］
前記少なくとも１つのプロセッサは、前記基地局から前記第１のＲＡＴの通信のためのＦＤＭ通信パターンを要求するようにさらに構成され、調整するように構成された前記少なくとも１つのプロセッサは、前記ＦＤＭ通信パターンに少なくとも部分的に基づいて前記第２のＲＡＴの通信を調整するように構成された前記少なくとも１つのプロセッサを備える、Ｃ１２に記載の装置。
［Ｃ１８］
前記少なくとも１つのプロセッサは、前記第１のＲＡＴの拒否されたアップリンクサブフレームのタイミングに少なくとも部分的に基づいて前記第１のＲＡＴの前記基地局へのシグナリングメッセージの送信を調整するようにさらに構成される、Ｃ１２に記載の装置。
［Ｃ１９］
前記シグナリングメッセージは、測定報告である、Ｃ１８に記載の装置。
［Ｃ２０］
前記少なくとも１つのプロセッサは、前記第１のＲＡＴの拒否されたアップリンクサブフレームに続く、第１の利用可能な拒否されないサブフレーム中に、前記第１のＲＡＴの前記基地局への前記シグナリングメッセージの送信をスケジュールするようにさらに構成される、Ｃ１８に記載の装置。
［Ｃ２１］
ワイヤレス通信のための方法であって、
ユーザ機器のための自律拒否レートを構成することと、
前記構成された自律拒否レートに少なくとも部分的に基づいて前記ユーザ機器のための予期された測定報告ウィンドウを調整することと
を備える、方法。
［Ｃ２２］
ワイヤレス通信のための装置であって、
ユーザ機器のための自律拒否レートを構成するための手段と、
前記構成された自律拒否レートに少なくとも部分的に基づいて前記ユーザ機器のための予期された測定レポートウィンドウを調整するための手段と
を備える、装置。
［Ｃ２３］
ワイヤレスネットワークにおけるワイヤレス通信のためのコンピュータプログラム製品であって、
非一時的なプログラムコードを記憶したコンピュータ可読媒体を備え、前記プログラムコードは、
ユーザ機器のための自律拒否レートを構成するためのプログラムコードと、
前記構成された自律拒否レートに少なくとも部分的に基づいて前記ユーザ機器のための予期された測定報告ウィンドウを調整するためのプログラムコードと
を備える、コンピュータプログラム製品。
［Ｃ２４］
ワイヤレス通信のための装置であって、
メモリと、
前記メモリに結合される少なくとも１つのプロセッサとを備え、前記少なくとも１つのプロセッサは、
ユーザ機器のための自律拒否レートを構成し、
前記構成された自律拒否レートに少なくとも部分的に基づいて前記ユーザ機器のための予期された測定報告ウィンドウを調整するように構成される、装置。
【図１】
0006453225.tif 000002
【図２】
0006453225.tif 000003
【図３】
0006453225.tif 000004
【図４】
0006453225.tif 000005
【図５】
0006453225.tif 000006
【図６】
0006453225.tif 000007
【図７】
0006453225.tif 000008
【図８】
0006453225.tif 000009
【図９】
0006453225.tif 000010
【図１０】
0006453225.tif 000011
【図１１】
0006453225.tif 000012
【図１２】
0006453225.tif 000013
【図１３】
0006453225.tif 000014